(57)【要約】【課題】キーボードとカードリーダーとを同時に装置本体に取り付けた状態で、保持部材を交換することなく、磁気式と非接触式のカードリーダーを容易に交換できること。【解決手段】装置本体の操作部の横に取り付けられた情報入力手段に対し、情報入力手段の操作者から遠い側、かつ情報入力手段の横幅からはみ出さない範囲に装置本体にカード情報読取手段を取り付けるための第一の保持部材と、第一の保持部材に取り付けることにより、カード情報読取手段とは異なる他のカード情報読取手段を選択可能な第二の保持部材と、を備える。【選択図】図１
2016168741.tif 000002
【特許請求の範囲】
【請求項１】
装置本体の操作部の横に取り付けられた情報入力手段に対し、前記情報入力手段の操作者から遠い側、かつ前記情報入力手段の横幅からはみ出さない範囲に前記装置本体にカード情報読取手段を取り付けるための第一の保持部材と、
前記第一の保持部材に取り付けることにより、前記カード情報読取手段とは異なる他のカード情報読取手段を選択可能な第二の保持部材と、を備えたことを特徴とするカード情報読取手段の保持部材。
【請求項２】
前記カード情報読取手段の前記装置本体への取り付け時に、前記カード情報読取手段の天面は、前記情報入力手段の天面より上にあることを特徴とする請求項１記載のカード情報読取手段の保持部材。
【請求項３】
前記カード情報読取手段の前記装置本体への取り付け時に、前記カード情報読取手段の取り付け面となる前記第二の保持部材の天面は、前記情報入力手段の天面よりも上にあることを特徴とする請求項１記載のカード情報読取手段の保持部材。
【請求項４】
前記カード情報読取手段のハーネスは、前記カード情報読取手段の前記第二の保持部材の中及び、前記情報入力手段の保持部材の中に収納され、装置本体外に露出しないようにしたことを特徴とする請求項１記載のカード情報読取手段の保持部材。
【請求項５】
前記第二の保持部材は、前記第一の保持部材のカバー機能を有することを特徴とする請求項１〜４記載のカード情報読取手段の保持部材。
【請求項６】
請求項１から５のいずれか一項に記載のカード情報読取手段の保持部材を備えたことを特徴とする画像形成装置。
【発明の詳細な説明】
【技術分野】
【０００１】
本発明は、カード情報読取手段の保持部材及び画像形成装置に関する。
【背景技術】
【０００２】
画像形成装置の操作部付近にオプションとしてキーボードとカード情報読取手段としてのカードリーダーとを同時に装置本体に取り付けて固定する方法が既に知られている。
主に使用されるカードリーダーには磁気カードリーダー（スワイプ式リーダ）と非接触式カードリーダーとの二種類がある。今までのキーボードとカードリーダーとを同時に装置本体に取り付けて固定する方法では、カードリーダーを一度取り付けてしまうと磁気式と非接触式とでは形状が異なるため、異なる保持部材を新たに取り付けなければならない。このため、ユーザーの使用途中に交換を希望する場合に保持部材全部を交換する必要があるという問題があった。
【０００３】
そこで、種々の提案がなされた（例えば、特許文献１参照。）。
特許文献１には、操作部付近に設置されるカードリーダー等の追加オプションの操作性を向上させる目的で、異なる種類のカードリーダーを取り付ける方法が開示されている。
【発明の概要】
【発明が解決しようとする課題】
【０００４】
しかしながら、特許文献１に記載の発明は、キーボードとカードリーダーを同時に本体に取り付けて固定する場合に、カードリーダーを一度取り付けてしまうと磁気式と非接触式で形状が異なるため、異なる保持部材を取り付けなければならず、ユーザーの使用途中に交換を希望する場合に保持部材全部を交換する必要があるという問題は解消できていない。
【０００５】
そこで、本発明の目的は、キーボードとカードリーダーとを同時に装置本体に取り付けた状態で、保持部材を交換することなく、磁気式と非接触式のカードリーダーを容易に交換できることにある。
【課題を解決するための手段】
【０００６】
上記課題を解決するため、請求項１に記載の発明は、装置本体の操作部の横に取り付けられた情報入力手段に対し、前記情報入力手段の操作者から遠い側、かつ前記情報入力手段の横幅からはみ出さない範囲に前記装置本体にカード情報読取手段を取り付けるための第一の保持部材と、前記第一の保持部材に取り付けることにより、前記カード情報読取手段とは異なる他のカード情報読取手段を選択可能な第二の保持部材と、を備えたことを特徴とする。
【発明の効果】
【０００７】
本発明によれば、キーボードとカードリーダーとを同時に装置本体に取り付けた状態で、保持部材を交換することなく、磁気式と非接触式のカードリーダーを容易に交換できる。
【図面の簡単な説明】
【０００８】
【図１】（ａ）は、キーボードが取り付けられた画像形成装置の外観斜視図であり、（ｂ）は、（ａ）の破線で示す領域Ａの拡大図であり、（ｃ）は、第二の保持部材としてのカバー15の上に他のカード情報読取手段としてのカードリーダー14を取り付けた図である。
【図２】（ａ）は、図１（ｂ）の拡大図であり、（ｂ）は、（ａ）に示したカードリーダー13をカバー15で覆い、カバー15の天面15aにカードリーダー14を取り付けた状態を示す図である。
【図３】画像形成装置を側面から見たときのキーボード及びカードリーダーの天面の位置についての説明図である。
【図４】画像形成装置の右側からキーボード12とカードリーダー14を見た図である。
【図５】図１（ｃ）に示した画像形成装置のカードリーダー及びキーボードのハーネス経路についての説明図である
【図６】（ａ）は、画像形成装置の磁気式のカードリーダーを取り付けるための第一の保持部材の外観斜視図であり、（ｂ）は、（ａ）に示した第一の保持部材に第二の保持部材をとりつけた後の外観斜視図である。
【発明を実施するための形態】
【０００９】
本発明の実施の形態を説明する。
＜概要＞
本発明は、装置本体に取り付けられた情報入力手段としてのキーボードとカード情報読取手段としてのカードリーダーとその保持部材に際して、以下の特徴を有する。
要するに、装置本体の操作部の横に取り付けられたキーボードに対し、キーボードの操作者から遠い側かつ、キーボードの横幅からはみ出さない範囲にカードリーダーが取り付けられ、磁気式（スワイプ式）のカードリーダー置台にカバーを設けるものである。このカバーにより、非接触式のカードリーダー置台になることが特徴になっている。
【００１０】
＜実施形態＞
［構成］
上記記載の本発明の特徴について、以下の図面を用いて詳細に解説する。
図１（ａ）、（ｂ）、（ｃ）を参照して画像形成装置に取り付けられたキーボードとカードリーダーとについて説明する。図１（ａ）は、キーボードが取り付けられた画像形成装置の外観斜視図である。図１（ｂ）は、図１（ａ）の破線で示す領域Ａの拡大図である。図１（ｃ）は、第二の保持部材としてのカバー15の上に他のカード情報読取手段としてのカードリーダー14を取り付けた図である。
【００１１】
画像形成装置100には一般ユーザーからの希望によりオプションである、情報入力手段としてのキーボード12やカード情報読取手段としてのカードリーダーを取り付けることが望まれている。さらに一部のユーザーからはキーボード12及びカードリーダーの同時装着が望まれている。
またカードリーダーには磁気式のカードリーダー13と非接触式のカードリーダー14とが主に使用されている。非接触式のカードとはSUICA（登録商標）やPASMO（登録商標）等のようなICカードである。
画像形成装置100の装置本体の操作部11の右側にキーボード12が取り付けられ、操作者101から見たキーボード12の奥側、すなわち後ろに磁気式のカードリーダー13がカード挿入口である開口部がほぼ上向きになるように取り付けられている。磁気式のカードリーダー13は、磁気式のカードの磁気ストライプが下側になるように横にして開口部に差し込み、装置本体から離れるように右側に平行移動させることで操作者101のID等のデータが読み込まれるようになっている。
ここで、装置本体は、画像形成装置100からキーボード12、磁気式のカードリーダー13、非接触式のカードリーダー14、及びカバー15,17以外の部分をいう。
カード情報読取手段としてのカードリーダー13は装置本体の外形をできるだけ大きくしないためにキーボード12の横幅からはみ出さない範囲に収まる位置に取り付けられている。
磁気式のカードリーダー13の取り付け位置をキーボード12の操作者101に近い側、すなわち前側にした場合、キーボード12を操作者101が手101aで操作する時に邪魔になり操作性が低下する。また、カードリーダー13の取り付け位置をキーボード12の右側にした場合、装置本体の外形をさらに大きくしてしまう。そのためカードリーダー13の取り付け位置は、キーボード12の操作者101から遠い側、すなわち奥側、かつキーボード12の横幅からはみ出さない範囲にする必要がある。
【００１２】
図１（ｂ）に示す18は、装置本体にカードリーダー13を取り付けるためのパネルである。第一の保持部材は、パネル18と、パネル18を直交するように保持する置台19とを有する。パネル18の形状は、後述する図６（ａ）に示すようなほぼ逆Ｌ字断面形状の板状部材であり、装置本体に取り付けられた置台19の天面に対して直交するように取り付けられている。このパネル18に開口部がほぼ上面を向くようにカードリーダー13が取り付けられている。パネル18の材質としては、例えばアルミニウム、鉄、合金等の金属が挙げられるが、樹脂を用いても良い。
【００１３】
図１（ａ）に示す15は、カード情報読取手段とは異なる他のカード情報読取手段を選択可能な第二の保持部材としてのカバーである。カバー15は、有蓋無底の箱形に形成され、カードリーダー13を覆うように置台19に取り付けられている。カバー15の天面15aには他の情報入力手段としての非接触式のカードリーダー14が取り付けられている。
【００１４】
図２（ａ）、（ｂ）を参照して、カバーが非接触式カードリーダーの置台になることについて説明する。図２（ａ）は、図１（ｂ）の拡大図であり、図２（ｂ）は、図２（ａ）に示したカードリーダー13をカバー15で覆い、カバー15の天面15aにカードリーダー14を取り付けた状態を示す図である。
図２（ｂ）に示すように磁気式のカードリーダー13の置台19にカバー15を取り付けることにより、そのカバー15が非接触式カードリーダー14の置台になることを示している。カバー15を置くことで磁気式のカードリーダー13と非接触式のカードリーダー14とを切り替えられるため、操作者101が使用途中に磁気式から非接触式のカードリーダーに変更する場合、従来のように保持部材を丸ごと交換する必要がない。
またその逆に、非接触式のカードリーダー14を用いていた操作者102が、磁気式のカードリーダー13に交換する場合でも、カバー15を一つ取り外すことで容易に磁気式カードリーダーの置台に変更することができる。
【００１５】
図３は、画像形成装置を側面から見たときのキーボード及びカードリーダーの天面の位置についての説明図である。
図３は、装置本体の右側からキーボード12とカードリーダー14とを見た図である。この時カードリーダー14の天面14aはキーボード12の天面（操作面）よりも上になるように取り付けられている。これはカードリーダー14の天面14aがキーボード12の天面より下にあった場合に、非接触式のカードリーダー14に指101aでカード102をかざした際にキーボード12が邪魔になり、操作者101の操作性を低下させることになるからである。
カードリーダー14の天面14aがキーボード12の天面よりも低くても、カードリーダー14を操作者101から遠ざければ、指101aでカード102をかざす際にキーボード12が邪魔にならない。しかし、この場合カードリーダー14が装置本体の正面に立つ操作者101から遠ざかってしまい、操作性が悪くなってしまう。
そのためカードリーダー14の天面14aはキーボード12の天面よりも上になるように、かつカードリーダー14をキーボード12に近づけるようにして、カードリーダー14を取り付けるのである。
【００１６】
図４は、具体的な側面から見たときのキーボード及びカードリーダーの天面の位置についての説明図である。
図４は、図３と同様に、画像形成装置の右側からキーボード12とカードリーダー14を見た図である。図２と異なり、カードリーダー14の天面14aだけでなく、カードリーダー置台となるカバー15の天面15aもキーボード12の天面より上にある。カードリーダー置台の天面がキーボード12の天面より上にあることにより、非常に薄い非接触式カードリーダー14が取り付けられても必ずカードリーダー14の天面14aはキーボード12の天面よりも上にある。
またカードリーダー置台の天面がキーボード12の天面よりも上にあるので、カードリーダー置台の面積より大きいカードリーダーであっても取り付けることができる。
これは、カードリーダー置台の天面がキーボード12の天面よりも低い場合、面積の大きいカードリーダーを取り付けるとカードリーダーとキーボードが干渉するためである。
【００１７】
図５は、図１（ｃ）に示した画像形成装置のカードリーダー及びキーボードのハーネス経路についての説明図である。
カードリーダー及びキーボードの装置本体への同時取り付けは、特に北米の大学で望まれている事項である。しかし、北米の大学においては、カードリーダーやキーボードの盗難の被害も多い。盗難の具体的な手口としては、ハーネスを切断し、露出している部分を持ち去るという方法がとられる場合がほとんどである。そのため盗難被害を防ぐために、カードリーダーやキーボードのハーネスは露出させない必要がある。
【００１８】
図５は、カードリーダー及びキーボードを装置本体の右下から見た図である。
カードリーダー14の底面から出るハーネスは、カードリーダー14のハーネス隠しカバー17の中を通り、キーボード12を保持する保持部材としてのキーボードブラケット16の中に収納されるようになっている。すなわち、ハーネスは、カバー15とキーボードブラケット16の中に収納されるのである。カードリーダー14をカバー15に取り付けた場合、カードリーダー14のハーネス隠しカバー17の先端は、キーボードブラケット16の中に差し込むように収納されるため、カードリーダー14のハーネスは装置本体外から露出することはない。キーボードブラケット16は装置本体に取り付けられているため、キーボードブラケット16の中を通りハーネスは装置本体に接続される構成となっている。またキーボード12のハーネスも同様にキーボードブラケット16の中に収納され、装置本体に接続される構成となっている。
これらの構成により、キーボード21とカードリーダー14ともにハーネスを装置本体外に露出させることなく、装置本体に接続することができる。
【００１９】
図６（ａ）、（ｂ）を参照して、非接触式カードリーダー置台が磁気式カードリーダー取付部のカバーになることについて説明する。
図６（ａ）は、画像形成装置の磁気式のカードリーダーを取り付けるための第一の保持部材の外観斜視図であり、図６（ｂ）は、図６（ａ）に示した第一の保持部材に第二の保持部材をとりつけた後の外観斜視図である。
図６は、非接触式のカードリーダーの置台としてのカバー15は、磁気式のカードリーダー取付部のカバーの役割があることを示している。非接触式のカードリーダー14（図１（ｃ）参照）を使用する場合、磁気式のカードリーダーの保持部材は使用しないため、磁気式のカードリーダー13（図１（ｂ））の取付部は露出状態になっている。そのため非接触式のカードリーダー14の置台に磁気式のカードリーダー13の取付部のカバー機能を持たせることにより、外観が向上し、また盗難防止効果が得られる。
【００２０】
［作用効果］
以上より、本実施形態によれば、装置本体の操作部の横に取り付けられたキーボードに対し、キーボードの後ろ側かつ、キーボードの横幅からはみ出さない範囲にカードリーダーを取り付け、磁気式のカードリーダー置台にカバーを置くものである。この結果、カバーが非接触式のカードリーダー置台になるので、キーボードとカードリーダーとを同時に装置本体に取り付けた状態で、カードリーダーの保持部材を交換せずに、容易に磁気式と非接触式のカードリーダーを交換することができる。
【００２１】
また、本実施形態によれば、カード情報読取手段としてのカードリーダーを操作する際に情報入力手段としてのキーボードに操作者の手や指がぶつからず操作性が損なわれることがない。
【００２２】
また、本実施形態によれば、面積の大きいカードリーダーを取り付けることができる。
また、本実施形態によれば、ハーネスが装置本体外に露出しないので、盗難被害にあいにくくなる。
また、本実施形態によれば、第二の保持部材を取り付けると、使用する必要のなくなる第一の保持部材を隠すことができ、外観が向上し、盗難防止効果が得られる。
【００２３】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００２４】
１１    操作部
１２    キーボード
１３    磁気式のカードリーダー
１４    非接触式のカードリーダー
１４ａ、１５ａ    天面
１５    カバー
１６    キーボードブラケット
１７    ハーネス隠しカバー
１８    パネル
１９    置台
１００    画像形成装置
１０１    操作者
１０１ａ    指
１０２    カード
【先行技術文献】
【特許文献】
【００２５】
【特許文献１】特開２００８−０６１０７２号公報
【図１】
2016168741.tif 000003
【図２】
2016168741.tif 000004
【図３】
2016168741.tif 000005
【図４】
2016168741.tif 000006
【図５】
2016168741.tif 000007
【図６】
2016168741.tif 000008